(57)【要約】【課題】  潜在的なニーズを効果的に掘り起こして、興行の収益率向上に寄与することのできる興行支援システム、サーバ装置、プログラム及び興行支援方法を提供する。【解決手段】          興行支援システムは、興行主端末と、前記興行主端末から送信される空席状況に基づき、直前鑑賞申込が見込まれる所定のユーザ端末に対して、割引鑑賞情報を送信するサーバ装置とを備える。また、前記サーバ装置は、前記ユーザ端末から鑑賞申込情報を受信したときに、当該ユーザ端末に対し、当該興行の開始から所定時間分の興行コンテンツを送信する。また、前記サーバ装置は、直前鑑賞申込を希望するユーザから予め希望条件を受け付けて、条件が成就した場合に、当該ユーザのユーザ端末に対して、割引鑑賞情報を送信する。【選択図】  図１
2005250888.tif 000002
【特許請求の範囲】
【請求項１】
ユーザ端末と、
定員を有する各種興行の少なくとも日時と場所と鑑賞料金を含む書誌的事項と鑑賞申込状況情報を管理する興行主端末と、
前記興行主端末から興行の書誌的事項と鑑賞申込状況情報とを受信する手段と、少なくとも興行日時を基準として所定の時期が到来し、前記鑑賞申込状況情報から求めた欠員数が所定値以上である場合には、前記ユーザ端末に対して、所定の割引率分の割引を行った割引鑑賞料金情報を含む鑑賞誘引情報を送信する手段と、を備えるサーバ装置と、を接続したこと、
を特徴とする興行支援システム。
【請求項２】
前記サーバ装置は、更に、
各種興行コンテンツを収めたコンテンツデータベースに接続され、
前記ユーザ端末から鑑賞申込情報を受信する手段と、
前記鑑賞申込情報を受信した場合に、当該ユーザ端末に対して、当該興行の開始から所定時間分の興行コンテンツを送信する手段と、を備えること、
を特徴とする請求項１に記載の興行支援システム。
【請求項３】
前記ユーザ端末は、携帯端末であって、
前記興行主端末は、鑑賞申込を受け付けた来場者の少なくとも入場時刻を入力し、前記サーバ装置に対して通報する手段を備え、
前記サーバ装置は、更に、
各種興行コンテンツを収めたコンテンツデータベースに接続され、
前記ユーザ端末から鑑賞申込情報を受信する手段と、
前記鑑賞申込情報を受信した場合に、当該ユーザ端末に対して、前記興行主端末から通報された前記ユーザ端末の入場時刻と興行開始時刻の差分相当の興行コンテンツを送信する手段と、を備えたこと、
を特徴とする請求項１に記載の興行支援システム。
【請求項４】
前記サーバ装置は、ユーザ端末の現在位置を示す位置情報に基いて、前記鑑賞誘引情報を送信するユーザ端末を選択する手段を備えること、
を特徴とする請求項１乃至３いずれか一に記載の興行支援システム。
【請求項５】
前記サーバ装置は、更に、
欠員数と定員との比に応じて、異なる割引率を適用して前記割引鑑賞料金を補正する手段を備えること、
を特徴とする請求項１乃至４いずれか一に記載の興行支援システム。
【請求項６】
前記サーバ装置は、更に、
前記興行日時と現在日時との差に応じて、異なる割引率を適用して前記割引鑑賞料金を補正する手段を備えること、
を特徴とする請求項１乃至５いずれか一に記載の興行支援システム。
【請求項７】
前記サーバ装置は、更に、
前記ユーザ端末に対して、前記興行主端末から受信した各興行の書誌的事項を列記したリストを公開する手段と、
前記ユーザ端末から、少なくとも、興行と希望鑑賞価格とを指定した鑑賞希望要求を受信する手段と、
前記ユーザ端末から受信した鑑賞希望要求に指定された希望鑑賞価格と、該鑑賞希望要求に指定された興行の割引鑑賞料金が適合した場合に、該ユーザ端末に対して、該興行の鑑賞を誘引する第２の鑑賞誘引情報を送信する手段と、を備えること、
を特徴とする請求項１乃至６いずれか一に記載の興行支援システム。
【請求項８】
所定のユーザ端末と、定員を有する各種興行の少なくとも日時と場所と鑑賞料金を含む書誌的事項と鑑賞申込状況情報を管理する興行主端末と、に接続されるサーバ装置であって、
前記興行主端末から興行の書誌的事項と鑑賞申込状況情報とを受信する手段と、
少なくとも興行日時を基準として所定の時期が到来し、前記鑑賞申込状況情報から求めた欠員数が所定値以上である場合には、前記ユーザ端末に対して、少なくとも、前記興行日時と現在日時の間隔に基いて所定の割引率分の割引を行った割引鑑賞料金情報を含む鑑賞誘引情報を送信する手段と、を備えること、
を特徴とする興行支援用のサーバ装置。
【請求項９】
請求項８に記載の興行支援用のサーバ装置において、更に、
各種興行コンテンツを収めたコンテンツデータベースに接続され、
前記ユーザ端末から鑑賞申込情報を受信する手段と、
前記鑑賞申込情報を受信した場合に、当該ユーザ端末に対して、当該興行の開始から所定時間分の興行コンテンツを送信する手段と、を備えること、
を特徴とする興行支援用のサーバ装置。
【請求項１０】
請求項８又は９に記載の興行支援用のサーバ装置において、更に、
各種興行コンテンツを収めたコンテンツデータベースに接続され、
前記ユーザ端末から鑑賞申込情報を受信する手段と、
前記鑑賞申込情報を受信した場合に、当該ユーザ端末に対して、前記興行主端末から通報された前記ユーザ端末の入場時刻と興行開始時刻の差分相当の興行コンテンツを送信する手段と、を備えたこと、
を特徴とする興行支援用のサーバ装置。
【請求項１１】
請求項８乃至１０いずれか一に記載の興行支援用のサーバ装置において、更に、
ユーザ端末の現在位置を示す位置情報に基いて、前記鑑賞誘引情報を送信するユーザ端末を選択する手段を備えること、
を特徴とする興行支援用のサーバ装置。
【請求項１２】
請求項８乃至１１いずれか一に記載の興行支援用のサーバ装置において、更に、
欠員数と定員との比に応じて、異なる割引率を適用して前記割引鑑賞料金を補正する手段を備えること、
を特徴とする興行支援用のサーバ装置。
【請求項１３】
請求項８乃至１２いずれか一に記載の興行支援用のサーバ装置において、更に、
前記興行日時と現在日時との差に応じて、異なる割引率を適用して前記割引鑑賞料金を補正する手段を備えること、
を特徴とする興行支援用のサーバ装置。
【請求項１４】
請求項８乃至１３いずれか一に記載の興行支援用のサーバ装置において、更に、
前記ユーザ端末に対して、前記興行主端末から受信した各興行の書誌的事項を列記したリストを公開する手段と、
前記ユーザ端末から、少なくとも、興行と希望鑑賞価格とを指定した鑑賞希望要求を受信する手段と、
前記ユーザ端末から受信した鑑賞希望要求に指定された希望鑑賞価格と、該鑑賞希望要求に指定された興行の割引鑑賞料金が適合した場合に、該ユーザ端末に対して、該興行の鑑賞を誘引する第２の鑑賞誘引情報を送信する手段と、を備えること、
を特徴とする興行支援用のサーバ装置。
【請求項１５】
所定のユーザ端末と、定員を有する各種興行の少なくとも日時と場所と鑑賞料金を含む書誌的事項と鑑賞申込状況情報を管理する興行主端末と、に接続されるサーバ装置を構成するコンピュータに実行させるプログラムであって、
前記興行主端末から興行の書誌的事項と鑑賞申込状況情報とを受信する処理と、
少なくとも興行日時を基準として所定の時期が到来し、前記鑑賞申込状況情報から求めた欠員数が所定値以上である場合には、前記ユーザ端末に対して、少なくとも、前記興行日時と現在日時の間隔に基いて所定の割引率分の割引を行った割引鑑賞料金情報を含む鑑賞誘引情報を送信する処理と、を含む各処理を、
前記コンピュータに実行させるプログラム。
【請求項１６】
請求項１５に記載のプログラムにおいて、更に、
前記ユーザ端末から鑑賞申込情報を受信する処理と、
前記鑑賞申込情報を受信した場合に、当該ユーザ端末に対して、各種興行コンテンツを収めたコンテンツデータベースから当該興行の開始から所定時間分の興行コンテンツを抽出・送信する処理とを、
前記コンピュータに実行させるプログラム。
【請求項１７】
請求項１５又は１６に記載のプログラムにおいて、更に、
前記ユーザ端末から鑑賞申込情報を受信する処理と、
前記鑑賞申込情報を受信した場合に、当該ユーザ端末に対して、各種興行コンテンツを収めたコンテンツデータベースから、前記興行主端末から通報された前記ユーザ端末の入場時刻と興行開始時刻の差分相当の興行コンテンツを抽出・送信する処理とを、
前記コンピュータに実行させるプログラム。
【請求項１８】
請求項１５乃至１７いずれか一に記載のプログラムにおいて、更に、
ユーザ端末の現在位置を示す位置情報に基いて、前記鑑賞誘引情報を送信するユーザ端末を選択する処理を、
前記コンピュータに実行させるプログラム。
【請求項１９】
請求項１５乃至１８いずれか一に記載のプログラムにおいて、更に、
欠員数と定員との比に応じて、異なる割引率を適用して前記割引鑑賞料金を補正する処理を、
前記コンピュータに実行させるプログラム。
【請求項２０】
請求項１５乃至１９いずれか一に記載のプログラムにおいて、更に、
前記興行日時と現在日時との差に応じて、異なる割引率を適用して前記割引鑑賞料金を補正する処理を、
前記コンピュータに実行させるプログラム。
【請求項２１】
請求項１５乃至２０いずれか一に記載のプログラムにおいて、更に、
前記ユーザ端末に対して、前記興行主端末から受信した各興行の書誌的事項を列記したリストを公開する処理と、
前記ユーザ端末から、少なくとも、興行と希望鑑賞価格とを指定した鑑賞希望要求を受信する処理と、
前記ユーザ端末から受信した鑑賞希望要求に指定された希望鑑賞価格と、該鑑賞希望要求に指定された興行の割引鑑賞料金が適合した場合に、該ユーザ端末に対して、該興行の鑑賞を誘引する第２の鑑賞誘引情報を送信する処理と、
前記コンピュータに実行させるプログラム。
【請求項２２】
ユーザ端末と、興行主側の興行主端末と、前記興行主の興行を支援するサーバ装置と、接続してなる興行支援システムを用いて、ユーザ端末の所持者に対して鑑賞を誘引する興行支援方法であって、
前記興行主端末が、定員を有する各種興行の少なくとも日時と場所と鑑賞料金を含む書誌的事項と鑑賞申込状況情報との入力を受け付けて、記憶保持する工程と、
前記サーバ装置が、前記興行主端末から興行の書誌的事項と鑑賞申込状況情報とを受信する工程と、
前記サーバ装置が、少なくとも興行日時を基準として所定の時期が到来し、前記鑑賞申込状況情報から求めた欠員数が所定値以上である場合には、前記ユーザ端末に対して、少なくとも、前記興行日時と現在日時の間隔に基いて所定の割引率分の割引を行った割引鑑賞料金情報を含む鑑賞誘引情報を送信する工程と、を含むこと、
を特徴とする興行支援方法。
【請求項２３】
請求項２２に記載の興行支援方法において、更に、
前記サーバ装置が、前記ユーザ端末から鑑賞申込情報を受信する工程と、
前記鑑賞申込情報を受信した前記サーバ装置が、各種興行コンテンツを収めたコンテンツデータベースから当該興行の開始から所定時間分の興行コンテンツを抽出・送信する工程と、を含むこと、
を特徴とする興行支援方法。
【請求項２４】
請求項２２又は２３に記載の興行支援方法において、更に、
前記サーバ装置が、前記ユーザ端末から鑑賞申込情報を受信する工程と、
前記興行主端末が、鑑賞申込を受け付けた来場者の少なくとも入場時刻を入力し、前記サーバ装置に対して通報する工程と、
前記サーバ装置が、前記鑑賞申込情報と前記通報を受信したユーザ端末に対して、各種興行コンテンツを収めたコンテンツデータベースから、前記興行主端末から通報された前記ユーザ端末の入場時刻と興行開始時刻の差分相当の興行コンテンツを抽出・送信する工程を含むこと、
を特徴とする興行支援方法。
【請求項２５】
請求項２２乃至２４いずれか一に記載の興行支援方法において、
前記サーバ装置は、ユーザ端末の現在位置を示す位置情報に基いて、前記鑑賞誘引情報を送信するユーザ端末を選択すること、
を特徴とする興行支援方法。
【請求項２６】
請求項２２乃至２５いずれか一に記載の興行支援方法において、
前記サーバ装置は、欠員数と定員との比に応じて、異なる割引率を適用して前記割引鑑賞料金を補正すること、
を特徴とする興行支援方法。
【請求項２７】
請求項２２乃至２６いずれか一に記載の興行支援方法において、
前記サーバ装置は、前記興行日時と現在日時との差に応じて、異なる割引率を適用して前記割引鑑賞料金を補正すること、
を特徴とする興行支援方法。
【請求項２８】
請求項２２乃至２７いずれか一に記載の興行支援方法において、
前記サーバ装置が、ユーザ端末に対して、前記興行主端末から受信した各興行の書誌的事項を列記したリストを公開する工程と、
前記サーバ装置が、ユーザ端末から、少なくとも、興行と希望鑑賞価格とを指定した鑑賞希望要求を受信する工程と、
前記サーバ装置が、ユーザ端末から受信した鑑賞希望要求に指定された希望鑑賞価格と、該鑑賞希望要求に指定された興行の割引鑑賞料金が適合した場合に、該ユーザ端末に対して、該興行の鑑賞を誘引する第２の鑑賞誘引情報を送信する工程と、を含むこと、
を特徴とする興行支援方法。
【発明の詳細な説明】
【技術分野】
【０００１】
本発明は、興行支援システム、サーバ装置、プログラム及び興行支援方法に関する。
【背景技術】
【０００２】
ネットワークを利用したチケット購入（販売）システムとして、例えば、特開２００２−２３６７７０号公報に、チケットの注文を受け付けるサーバと、電子決済機能を有する個人用情報端末とを備えてなるチケット購入（販売）システムが紹介されている。同公報記載のチケット購入（販売）システムによれば、いわゆるキャンセル料が徴収可能となるため、キャンセルによる収益減少を少なくすることができるとされている。
【特許文献１】特開２００２−２３６７７０号公報
【発明の開示】
【発明が解決しようとする課題】
【０００３】
ところで、映画、演劇等の定員制の興行において、諸般の理由により、前売り販売が振るわない、又は、直前のキャンセルにより、空席が発生することがよくある。上記公報に例にもあるとおり、いくらかのキャンセル料が得られるとしても、空席が存在することは、興行の収益効率上から見て好ましくないものである。このとき、興行主が、空席を充足させるべく、顧客を呼び込むにしても、効果的に訴求する手段がないのが現状である。まず第１に、当該興行内容に関心を有する潜在顧客を探すことが困難である。また仮に、そのような潜在顧客が見つかったとしても、予定がある、開演までに到着できない、料金や空席の位置に不満がある等の顧客側の事情により、鑑賞申込みに到るとは限らない。
【０００４】
上記潜在顧客に対して積極的に興行の鑑賞を誘引し、上記空席を解消することができれば、興行の収益力は飛躍的に向上すると考えられる。本発明は、上記した事情に鑑みてなされたものであって、その目的とするところは、潜在的なニーズを効果的に掘り起こして、興行の収益率向上に寄与することのできる興行支援システム、サーバ装置、プログラム及び興行支援方法を提供することにある。
【課題を解決するための手段】
【０００５】
前記課題を解決するための手段を提供する本発明の第１の視点によれば、ユーザ端末と、興行主側の興行主端末と、前記興行主の興行を支援するサーバ装置と、接続してなる興行支援システムを用いて、ユーザ端末の所持者に対して鑑賞を誘引する興行支援方法が提供される。まず、前記興行主端末が、定員を有する各種興行の少なくとも日時と場所と鑑賞料金を含む書誌的事項と鑑賞申込状況情報との入力を受け付けて、記憶保持しておく。続いて、前記サーバ装置が、前記興行主端末から興行の書誌的事項と鑑賞申込状況情報とを受信する。そして、前記サーバ装置は、少なくとも興行日時を基準として所定の時期が到来し、前記鑑賞申込状況情報から求めた欠員数が所定値以上である場合には、前記ユーザ端末に対して、所定の割引率分の割引を行った割引鑑賞料金情報を含む鑑賞誘引情報を送信する。
【発明の効果】
【０００６】
本発明によれば、定員制の各種興行における空席を有効に活用できる、という優れた効果が奏出される。特に、価格の割引等の有利な特典が付与されるのであれば、興行開始直前・開始後であっても参加したいという類型の顧客を誘引することが可能となる。
【発明を実施するための最良の形態】
【０００７】
続いて、本発明を実施するための最良の形態について説明する。本発明の空席通知システムは、その好ましい実施の形態において、インターネット上に設置するサーバ装置（図１の３００）と、サーバ装置（図１の３００）にアクセス可能な興行主端末（図１の２００）及びユーザ端末（図１の１００）により構成される。
【０００８】
興行主端末（図１の２００）は、興行に関する書誌的事項（興行の日時、場所、定員、正規鑑賞料金等）と、鑑賞申込数との入力を受け付けるパーソナルコンピュータ等の情報処理装置である。
【０００９】
サーバ装置（図１の３００）は、興行主端末（図１の２００）から前記興行に関する書誌的事項及び鑑賞申込数を受信する手段と、正規鑑賞料金に対して所定の割引率を乗じて得た特別料金を算出する手段と、興行の開始日時から一定の時間前の時点で、欠員の多寡の判定を行ない、予め登録されたユーザ端末（図１の１００）に対して該特別料金による鑑賞誘引メッセージを送信する手段と、各興行の所定時間分の内容を収めたコンテンツを記憶保持する手段とを、備えるワークステーション、サーバ等の情報処理装置である。
【００１０】
ユーザ端末（図１の１００）は、サーバ装置（図１の３００）から鑑賞誘引メッセージを受信可能な機器である。例えば、電子メール等を受信可能な携帯電話端末やＰＤＡ（Personal  Digital  Assistant）であれば、外出中であるユーザに対しても、リアルタイムに鑑賞誘引メッセージを提示できる。
【００１１】
その動作を説明すると、まず、興行主端末（図１の２００）は、興行に関する書誌的事項（興行の日時、場所、定員、正規鑑賞料金）と、鑑賞申込数との入力を受け付けると、サーバ装置（図１の３００）に対して送信する。
【００１２】
サーバ装置（図１の３００）は、興行に関する書誌的事項（興行の日時、場所、定員、正規鑑賞料金）と、鑑賞申込数との入力を受け付けると、その記憶装置に記憶する。
【００１３】
サーバ装置（図１の３００）は、ユーザ端末（図１の１００）からの要求に応じて、前記記憶した興行の一覧を生成して、送信する。
【００１４】
また、サーバ装置（図１の３００）は、ユーザ端末（図１の１００）からの要求に応じて、前記記憶した興行の鑑賞希望要求を受け付けるための入力フォームを送信し、ユーザ端末（図１の１００）から、鑑賞希望要求（興行名称、鑑賞希望価格）を受信して、記憶保持する。
【００１５】
サーバ装置（図１の３００）は、所定の時間間隔で、前記記憶した興行の内容を参照して、興行の開始日時から一定の時間前であり、かつ、欠員が所定数Ｎ以上存在している（定員−鑑賞申込数＞Ｎ）である興行のデータを抽出する。
【００１６】
サーバ装置（図１の３００）は、抽出された興行について、少なくとも、前記興行の開始日時と現在時刻との時間間隔と、欠員数とに基いて、所定の割引率分の割引を行った割引鑑賞料金を算出する。例えば、興行の開始日時が迫っており、かつ、欠員数が多い場合は、大きな割引率が適用され、興行の開始日時までに余裕があり、又は、欠員数が少ない場合は、小さな割引率が適用される。
【００１７】
ここで、サーバ装置（図１の３００）は、当該割引後の鑑賞料金に適合する鑑賞希望要求を登録したユーザ端末（図１の１００）が存在するか否かを検索し、存在する場合には、当該鑑賞希望要求を登録したユーザ端末（図１の１００）に対して、前記鑑賞希望要求に適合する割引鑑賞料金を表示した鑑賞誘引メッセージを送信する。
【００１８】
更に、サーバ装置（図１の３００）は、前記鑑賞誘引メッセージの送信から所定時間経過後、鑑賞申込が必要数に満たない場合には、鑑賞条件に適合しなかったユーザ端末（図１の１００）に対しても、抽出された興行の日時と、場所と、募集人数と、そして、前記算出した割引鑑賞料金を含む鑑賞誘引メッセージを送信する。
【００１９】
前記鑑賞誘引メッセージを出力したユーザ端末（図１の１００）から、電子メール等の公知の手段により当該興行への鑑賞申込を受信すると、サーバ装置（図１の３００）は、当該ユーザ端末（図１の１００）に対し、当該興行の開始から所定時間分の内容を収めた補完コンテンツを送信する。
【００２０】
以上の通り、本実施の形態によれば、従来であれば、全く収益を生み出すことの出来なかった空席を、極力充足させることが可能となる。
【００２１】
また、ユーザ側としても、興味はあったが、鑑賞を見合わせていた興行に、割安で、より望ましくは自己が希望する価格で鑑賞することのできるメリットがある。また、興行の開始時刻が迫っており、開演までに到着できないと見込まれる場合であっても、これを補完する当該興行の開始から所定時間分の内容を収めた補完コンテンツを受信することが可能である。
【実施例１】
【００２２】
続いて、本発明をより詳細に説明すべく、本発明に係る空席通知システムの第１の実施例について説明する。図１は、本発明に係る興行支援システムの構成例を表した図である。図１を参照すると、本発明の一実施例に係る興行支援システムは、ユーザ端末１００と、興行主端末２００と、サーバ装置３００と、位置情報管理サーバ装置４００と、これらを相互に接続するインターネット等の通信ネットワーク５００と、から構成されている。
【００２３】
ユーザ端末１００は、例えば、ＰＤＡ、携帯電話機等の通信機能を有する端末機器である。より具体的には、ユーザ端末１００は、通信ネットワーク５００を介する通信機能（メール送受信機能等）、所定の形式（ファイル形式）によるコンテンツの再生機能、近距離通信機能（赤外線、Bluetooth（登録商標））による情報送受信機能を備えている。
【００２４】
興行主端末２００は、映画館、劇場等の興行場所に設置されるパーソナルコンピュータ等の情報処理装置である。より具体的には、興行主端末２００は、当該興行に対する入場管理を行う機能、通信ネットワーク５００を介した通信（メール送受信）機能、近距離通信機能（赤外線、Bluetooth（登録商標））による情報送受信機能を備えている。
【００２５】
サーバ装置３００は、空席通知サービスを行う事業者が設置乃至管理するワークステーション、サーバ等の情報処理装置である。サーバ装置３００は、予めユーザ端末１００の利用者によって登録されたユーザの個人情報（例えば、ユーザのメールアドレス、趣味、趣向、個人情報、行動範囲等）、興行主端末２００から送信された興行に関する書誌的情報並びに興行コンテンツ、及び、ユーザ端末１００に対するメール配信条件等を、それぞれ、ユーザ情報データベース、興行コンテンツ情報データベース、配信条件記憶部に、記憶している。また、サーバ装置３００は、興行主端末２００から送信される空席情報（後に詳述する）に基づき、所定のユーザ端末１００を抽出して、当該興行の鑑賞を促す鑑賞誘引メールを送信する機能を備えている。
【００２６】
位置情報管理サーバ装置４００は、ユーザ端末１００の位置情報（通信の際の位置登録情報、或いは、ユーザ端末１００がＧＰＳ測位機能を有する場合はユーザ端末１００によって測位された位置情報）の管理を行い、サーバ装置３００からの要求に対してユーザ端末１００の位置情報を送信する機能を備えるワークステーション、サーバ等の情報処理装置である。
【００２７】
なお、上記構成例では、興行主端末２００とサーバ装置３００を、別個に設けた構成としているが、これらを統合してもよい。
【００２８】
続いて、上記実施例の動作について、図面を参照して詳細に説明する。図２は、本発明に係る興行支援システムの主要動作を表したフローチャートである。図２を参照すると、まず、興行主端末２００は、興行に対する入場者を管理し、興行の開始一定時間前（例えば、２０分前）になっても空席がある（定員数−入場者数＞０）場合は、空席情報（席数、興行場所等）を生成し、サーバ装置３００に対して送信する（ステップＳ１０１、Ｓ１０２）。
【００２９】
前記空席情報を受信したサーバ装置３００は、予め登録されたユーザ情報（本システムの会員登録／更新時に記載した情報）に基づいて、当該興行に興味を持つと考えられるユーザ（ユーザ端末１００）を抽出する（ステップＳ１０３、Ｓ１０４）。例えば、サーバ装置３００がミステリー映画の空席情報を受信したときは、ユーザ情報（興味分野）として“ミステリー”が登録されているユーザを対象とすべく、該ユーザのユーザ端末１００を抽出する。
【００３０】
次に、サーバ装置３００は、ユーザ端末１００の位置情報を、位置情報管理サーバ装置４００から取得する（ステップＳ１０５）。更に、サーバ装置３００は、割引鑑賞情報として配信する内容（割引率、興行内容、場所（交通アクセス）、座席情報、座席残数等を含む）と、配信するユーザ端末１００を決定し、電子メールにより、割引鑑賞情報を送信する（ステップＳ１０６、Ｓ１０７）。
【００３１】
ここで、割引率は、例えば、興行主端末２００から指定された割引率を採用することもできる。例えば、興行主端末２００のオペレータは、当日の天候や、他の興行との競合関係、当該興行の人気、予定収益率を考慮して、割引率を決定する。
【００３２】
また或いは、配信対象ユーザ端末数と空席数から求めた割引率を採用することもできる。例えば、空席１０席で配信対象端末１００機のときは９０％（１０％引）、空席１０席で配信対象端末５０機のときは８０％（２０％引）のように、割引率に応じた歩留率（申込み率）を考慮した数値を採用可能である。更には、これらに、興行の開始時刻までの余裕時間を反映させることとしてもよい。
【００３３】
また、配信対象のユーザ端末１００は、ユーザにより、予め登録を受け付けた個人情報や配信希望要求に加えて、位置情報管理サーバ装置４００から取得した位置情報（興行場所の近辺にユーザ端末１００が存在する）に基づき、選択されるものとする。
【００３４】
割引鑑賞情報を受信したユーザ端末１００は、当該興行を鑑賞する場合は、鑑賞申込情報をサーバ装置３００に対して送信する（ステップＳ１０８、Ｓ１０９）。なお、鑑賞申込情報は、単なる申込予約として現地で決済を行うものであってもよいが、例えば、課金処理（クレジットカード番号の送付）を伴うものであっても良い。
【００３５】
鑑賞申込情報を受信したサーバ装置３００は、受付順に申込みを確定（座席確定）させ（ステップＳ１１０）、鑑賞許可情報をユーザ端末１００に対して返信する（ステップＳ１１１、Ｓ１１２）。なお、鑑賞許可情報は興行主端末２００にも送信される（ステップＳ１１１、Ｓ１１２）。
【００３６】
更に、サーバ装置は、ステップＳ１０５で取得したユーザ端末１００の位置情報から当該興行場所への到着時刻を算出し（ステップＳ１１３）、到着遅れが見込まれる場合には、所定時間を上限とした、当該興行のコンテンツ情報（例えば、開始から１０分間分を上限としたミステリー映画のコンテンツ）をユーザ端末１００に対して配信する（ステップＳ１１４、Ｓ１１５）。
【００３７】
以上のとおり、本実施例の動作からも明らかなように、潜在的なユーザに対して、電子メールによる通知により、興行の鑑賞を再考させることができる。その際に、割引等による提示価格、時間、場所、アクセス等が参照され、飛躍的な集客効果が発揮される。また興行者にとっては、開始時間になっても本来であれば空席であったものを有効活用（低金額であるが料金回収）できる、という優れた効果を奏するものである。
【００３８】
また、上記実施例では、所定時間を上限として当該興行のコンテンツ情報をユーザ端末１００に対して送信することとしているため、興行直前乃至開始後であっても、集客し、顧客の見逃し分を補完することのできるものとなっている。
【実施例２】
【００３９】
続いて、本発明に係る空席通知システムの第２の実施例について説明する。本実施例の構成及び動作は、上記した第１の実施例と略同様であるため、共通する部分は省略して説明する。図３は、図２のステップＳ１０９（鑑賞申込情報送信）以降の動作を表したフローチャートである。まず、図２の鑑賞申込情報を受信したサーバ装置３００は、受付順に申込みを確定（座席確定）させ、鑑賞許可情報をユーザ端末１００と、興行主端末２００に対して送信する（ステップＳ２０１、Ｓ２０２、Ｓ２０３）。
【００４０】
ユーザ端末１００は、受信した鑑賞許可情報をその記憶装置に保存しておく。そして、興行の会場へ入場する際に、ユーザ端末１００の利用者は、興行主端末２００に接続された興行会場の入札機等に対して、近距離通信機能を介して、該鑑賞許可情報を送信する（ステップＳ２０４、Ｓ２０５）。
【００４１】
興行主端末２００は、ステップＳ２０３にてサーバ装置から受信した鑑賞許可情報と、ユーザ端末１００から受信した鑑賞許可情報とを照合し（ステップＳ２０６）、適合する場合に、ユーザ端末１００及びサーバ装置３００に対して、入場許可情報を送信して、ユーザ端末１００の利用者の入場を許可する（ステップＳ２０７、Ｓ２０８）。
【００４２】
更に、入場許可情報を受信したサーバ装置３００は、ユーザ端末１００の入場時刻（入場許可情報の受信時刻）と興行の開始時刻との差分を算出し（ステップＳ２０９）、差分があるとき（入場時刻＞興行開始時刻のとき）は、所定時間を上限とする差分時間分の興行コンテンツをユーザ端末１００に対して送信する（ステップＳ２１０、Ｓ２１１）。
【００４３】
以上の説明からも明らかな通り、本実施例によれば、入場時刻を考慮した興行の補完コンテンツ（開始/到着時刻の差分）をユーザ端末１００に対して送信することとしているため、ユーザの満足度を高め、より一層の集客効果を奏効させることができる。
【図面の簡単な説明】
【００４４】
【図１】本発明に係る興行支援システムの構成例を表した図である。
【図２】本発明に係る興行支援システムの動作例を表したフローチャートである。
【図３】本発明に係る興行支援システムの動作例を表した別のフローチャートである。
【符号の説明】
【００４５】
１００  ユーザ端末
２００  興行主端末
３００  サーバ装置
４００  位置情報管理サーバ装置
５００  通信ネットワーク
【図１】
2005250888.tif 000003
【図２】
2005250888.tif 000004
【図３】
2005250888.tif 000005